(57)【特許請求の範囲】
【請求項１】
底フレームとなる長方形のスキッドと、このスキッドを形成する長方形の枠体の対向する両短辺に着脱自在に連結する一対の短辺フレームと、枠体の対向する両長辺に着脱自在に連結する一対の長辺フレームとからなる組立・分解自在なリターナブルケースにおいて、
前記スキッドは、前記枠体の下面に適宜間隔で脚材を有し、上面に一定間隔で複数の滑材を有し、この滑材の両端は前記両短辺の端縁から前記短辺フレームの上辺フレーム材が載置可能な間隔を置いた内方に位置し、滑材の間隔は短辺フレームのコーナー支柱や補強支柱が嵌合可能な間隔であり、枠体の四隅に隣接する短辺フレームと長辺フレームのコーナー支柱の下端部を着脱自在に連結する所定高さのコーナー部材を設けて形成され、
前記短辺フレームと長辺フレームは、少なくとも上辺フレーム材と、その両端に垂直に連結したコーナー支柱と、コーナー支柱間の上辺フレーム材に垂直に連結した補強支柱とで形成され、前記長辺フレームの上角部に、前記短辺フレームの上隅部を連結する連結部材を設けてなることを特徴とするリターナブルケース。
【請求項２】
前記枠体の、両短辺の中間部に前記短辺フレームの補強支柱の下端部が差込連結される差込連結部材を設け、前記コーナー部材に短辺フレームのコーナー支柱の下端部が差込連結される溝を刻設し、前記短辺フレームの補強支柱の下端部が短辺フレームの両コーナー支柱の下端部より先端が長く形成されてなることを特徴とする請求項１に記載のリターナブルケース。
【請求項３】
前記枠体の両長辺に所望高さのリブ片を設けると共にこのリブ片の中間部に前記長辺フレームの下辺フレーム材の中間部が挟持される挟持部材を設けてなることを特徴とする請求項１又は２に記載のリターナブルケース。
【請求項４】
前記枠体の四隅に設けたコーナー部材には、前記長辺フレームの下隅部をボルト連結するためのボルト孔と、前記リブ片に溶接するための溶接用孔と溶接しろとを有していることを特徴とする請求項１又は２又は３に記載のリターナブルケース。
【請求項５】
前記一対の長辺フレームの上辺フレーム材の上部に横架される補強アームの両端の係合片の上部に凹溝を刻設し、この凹溝に前記枠体の下面の脚材が嵌合可能なことを特徴とする請求項１又は２又は３又は４に記載のリターナブルケース。
【請求項６】
前記補強アームの両端の係合片の側面に孔が穿設され、この孔と前記長辺フレームの上辺フレーム材に設けられた突起により補強アームが着脱可能なことを特徴とする請求項５に記載のリターナブルケース。
【請求項７】
前記長辺フレームの上角部の連結部材が凹部を有し、この凹部に前記短辺フレームの上隅部をボルト連結するためのボルト挿入孔を穿設してなることを特徴とする請求項１又は２又は３又は４又は５又は６に記載のリターナブルケース。
【請求項８】
前記短辺フレームの両コーナー支柱の下端部の内側間及び両コーナー支柱の上端部の内側と下端部の内側との間に交差するように３本の短辺フレーム用補強用トラスを設け、前記長辺フレームの上辺フレーム材と下辺フレーム材の内側との間に斜めに複数の長辺フレーム用補強用トラスを設け、前記短辺フレーム用補強用トラス及び長辺フレーム用補強用トラスがパイプを偏平に潰して形成された薄板からなることを特徴とする請求項１又は２又は３又は４又は５又は６又７に記載のリターナブルケース。
【発明の詳細な説明】
【０００１】
【産業上の利用分野】
この発明は、品物を収納して保管や輸送に用いられる、組立・分解自在なリターナブルケースに関するものである。
【０００２】
【従来の技術】
従来のリターナブルケースは、例えば本出願人が先に出願した特開平６−３１２７４０号公報、特開平６−３１２７４１号公報、特開平７−２７７３３０号公報、特開平７−２７７３３１号公報に開示されているようなものがある。
これらのリターナブルケースは、底フレームとなる長方形のスキッドと、スキッドの対向する短辺に着脱自在に連結される２枚の短辺フレームと、スキッドの対向する長辺に着脱自在に連結される２枚の長辺フレームとで構成され、このリターナブルケースを分解して保管や輸送するときには、スキッドの上に２枚の短辺フレームを倒して重ならない状態で載置し、その上に２枚の長辺フレームが重なるように積み重ね、これら２枚の短辺フレームと２枚の長辺フレームとを折り畳んで収納した高さが、スキッドの四隅に設けた、隣接する短辺フレームと長辺フレームのコーナー支柱の下端部を連結するコーナー部材の高さ以内に収まり、このように積み重ねたものが、段積みできるようになっていた。
【０００３】
【発明が解決しようとする課題】
前記従来例のようなリターナブルケースにおいては、それを分解して、スキッドを形成する枠体の上に２枚の短辺フレームによる１層と２枚の長辺フレームによる２層の合計３層に積み重ねるので、その積み重ね高さが比較的高くなり、このように積み重ねたものは、例えば、所定の大きさのコンテナに１６段しか段積み収納することができなかった。
この発明は、上述したような課題を解決するためになされたもので、分解した収納状態の高さを可能な限り低くして、収納状態で所定の大きさのコンテナに段積み可能な数を大幅に増加させ、しかも剛性のある組立・分解自在なリターナブルケースを提供することを目的とするものである。
【０００４】
【課題を解決するための手段】
この発明は、前記目的を達成するため、底フレームとなる長方形のスキッドと、このスキッドを形成する長方形の枠体の対向する両短辺に着脱自在に連結する一対の短辺フレームと、枠体の対向する両長辺に着脱自在に連結する一対の長辺フレームとからなる組立・分解自在なリターナブルケースにおいて、前記スキッドは、前記枠体の下面に適宜間隔で脚材を有し、上面に一定間隔で複数の滑材を有し、この滑材の両端は前記両短辺の端縁から前記短辺フレームの上辺フレーム材が載置可能な間隔を置いた内方に位置し、滑材の間隔は短辺フレームのコーナー支柱や補強支柱が嵌合可能な間隔であり、枠体の四隅に隣接する短辺フレームと長辺フレームのコーナー支柱の下端部を着脱自在に連結する所定高さのコーナー部材を設けて形成され、前記短辺フレームと長辺フレームは、少なくとも上辺フレーム材と、その両端に垂直に連結したコーナー支柱と、コーナー支柱間の上辺フレーム材に垂直に連結した補強支柱とで形成され、前記長辺フレームの上角部に、前記短辺フレームの上隅部を連結する連結部材を設けてなることを特徴とするリターナブルケースとした。
【０００５】
また、前記枠体の、両短辺の中間部に前記短辺フレームの補強支柱の下端部が差込連結される差込連結部材を設け、前記コーナー部材に短辺フレームのコーナー支柱の下端部が差込連結される溝を刻設し、前記短辺フレームの補強支柱の下端部が短辺フレームの両コーナー支柱の下端部より先端が長く形成されてなることを特徴とするリターナブルケースとした。
また、前記枠体の両長辺に所望高さのリブ片を設けると共にこのリブ片の中間部に前記長辺フレームの下辺フレーム材の中間部が挟持される挟持部材を設けてなることを特徴とするリターナブルケースとした。
また、前記枠体の四隅に設けたコーナー部材には、前記長辺フレームの下隅部をボルト連結するためのボルト孔と、前記リブ片に溶接するための溶接用孔と溶接しろとを有していることを特徴とするリターナブルケースとした。
また、前記一対の長辺フレームの上辺フレーム材の上部に横架される補強アームの両端の係合片の上部に凹溝を刻設し、この凹溝に前記枠体の下面の脚材が嵌合可能なことを特徴とするリターナブルケースとした。
また、前記補強アームの両端の係合片の側面に孔が穿設され、この孔と前記長辺フレームの上辺フレーム材に設けられた突起により補強アームが着脱可能なことを特徴とするリターナブルケースとした。
また、前記長辺フレームの上角部の連結部材が凹部を有し、この凹部に前記短辺フレームの上隅部をボルト連結するためのボルト挿入孔を穿設してなることを特徴とするリターナブルケースとした。
また、前記短辺フレームの両コーナー支柱の下端部の内側間及び両コーナー支柱の上端部の内側と下端部の内側との間に交差するように３本の短辺フレーム用補強用トラスを設け、前記長辺フレームの上辺フレーム材と下辺フレーム材の内側との間に斜めに複数の長辺フレーム用補強用トラスを設け、前記短辺フレーム用補強用トラス及び長辺フレーム用補強用トラスがパイプを偏平に潰して形成された薄板からなることを特徴とするリターナブルケースとした。
【０００６】
【発明の実施の形態】
以下、この発明のリターナブルケースの実施の形態を図面に基づいて詳細に説明する。
図１はリターナブルケースの組立途中（または分解途中）の斜面図、図２はリターナブルケースを分解してスキッドの上に２枚の短辺フレームと２枚の長辺フレームとを折り畳んだものを積み重ねた状態を示す斜視図、図３は底フレームとなるスキッドの平面図、図４は図３のＡ−Ａ線方向から見た拡大断面図、図５はスキッドの上に２枚の短辺フレームを積み重ねた平面図で、図６は図５のＢ−Ｂ線方向から見た拡大断面図、図７は２枚の短辺フレームの上に一方の長辺フレームを積み重ねた平面図、図８は図７のＣ−Ｃ線方向から見た拡大断面図、図９は一方の長辺フレームの上に他方の長辺フレームを積み重ねた平面図、図１０は図９のＤ−Ｄ線方向から見た拡大断面図である。
【０００７】
図１乃至図１０において、１は底フレームとなる長方形のスキッド、２はこのスキッドを形成する長方形の枠体、３，３は枠体２の対向する両短辺２ａ，２ａに着脱自在に連結する一対の短辺フレーム、４，４は枠体２の対向する両長辺２ｂ，２ｂに着脱自在に連結する一対の長辺フレームである。
【０００８】
前記長方形の枠体２は、対向する両短辺２ａ，２ａとなる位置に脚材２ｃ，２ｃを配設し、この脚材２ｃ，２ｃ間にフォークリフトの爪が入る間隔で脚材２ｃを配設し、これらの脚材２ｃの上面に複数の滑材２ｄを所望間隔をおいてほぼ平行に設けている。この滑材２ｄの両端は前記両短辺２ａとなる脚材２ｃの端縁から短辺フレーム３の上辺フレーム材３ａが載置可能な間隔Ｓ1 を置いた内方に位置し、各滑材２ｄの間隔Ｓ2 は短辺フレーム３のコーナー支柱３ｂ，３ｂや補強支柱３ｃが嵌合可能な間隔を有している。更に、前記枠体２の対向する両長辺２ｂ，２ｂには一定高さのリブ片２ｇ，２ｇが設けられ、枠体２の四隅には、隣接する短辺フレーム３と長辺フレーム４のコーナー支柱３ｂ，４ｂの下端部を着脱自在に連結する所定高さのコーナー部材７，７，７，７が設けられている。
【０００９】
前記枠体２の両短辺２ａとなる脚材２ｃの中間部に、図１１に詳細に示すように、前記短辺フレーム３の補強支柱３ｃの下端に設けた差込片３ｃ-1が差し込まれる差込孔９ａを有する差込連結部材９を設けている。この短辺フレーム３の補強支柱３ｃの差込片３ｃ-1は後述する両端のコーナー支柱３ｂ，３ｂの差込片３ｂ-1，３ｂ-1より長く形成されており、これにより組立時に中央の差込片３ｃ-1を差し込むだけで容易に短辺フレーム３の位置決めをすることができる。
【００１０】
また、前記枠体２の両長辺２ｂとなるリブ片２ｇの中間部に、図１２に詳細に示すように、前記長辺フレーム４の下辺フレーム材４ｄの中間部が挟持される挟持部材１０が設けられている。このリブ片２ｇの挟持部材１０は、長辺フレーム４の下辺フレーム材４ｄの幅に合わせて内側の側板が屈曲しており、また前記コーナー部材７より高さが低くなるように設定されている。
【００１１】
前記枠体２の四隅に設けたコーナー部材７には、図１３に詳細に示すように、短辺フレーム３のコーナー支柱３ｂの下端に設けた差込片３ｂ-1が差し込まれる差込孔７ａと、この差込孔７ａを有し前記リブ片２ｇに対する溶接強度を高めるための溶接しろ７ｂと、長辺フレーム４の下隅部のコーナー支柱４ｂの下端部と下辺フレーム材４ｄの端部との連結補強板４ｉをこのコーナー部材７にボルト締着するためのボルト挿入孔７ｃと、このコーナー部材７を前記リブ片２ｇに溶接するための溶接用孔７ｄとが設けられている。
【００１２】
前記２枚の短辺フレーム３は、上辺フレーム材３ａと、その両端に垂直に連結したコーナー支柱３ｂ，３ｂと、コーナー支柱間の上辺フレーム材３ａに垂直に連結した補強支柱３ｃと、両コーナー支柱３ｂ，３ｂの下端部の内側間および両コーナー支柱３ｂ，３ｂの下端部の内側と上辺フレーム材３ａの内側との間に交差するように設けた薄板の補強用トラス３ｄ，３ｄ，３ｄとから形成されている。
なお、この補強用トラス３ｄは板材であるが、その他に図１８（ａ）に示すようなパイプ２０を図１８（ｂ）に示すように偏平に潰して形成してもよく、パイプを偏平に潰して形成した補強用トラスは、剛性が増すと共に、角が生じないので、短辺フレーム３を取り扱う時に角で怪我することがなくなる。
【００１３】
前記２枚の長辺フレーム４は、上辺フレーム材４ａと、その両端に垂直に連結したコーナー支柱４ｂ，４ｂと、両コーナー支柱４ｂ，４ｂの下端間に連結した下辺フレーム材４ｄと、コーナー支柱間の上辺フレーム材４ａと下辺フレーム材４ｄとの間に連結した補強支柱４ｃ，４ｃ，４ｃと、長辺フレーム４の上隅、すなわち上辺フレーム材４ａの両端と両コーナー支柱４ｂ，４ｂの上端との連結部に設けた連結部材１２，１２とで主に形成されている。図１４に詳細に示すように、この連結部材１２に形成した凹部１２ａに穿設したボルト挿入孔に挿入したボルト１３を、前記短辺フレーム３の上辺フレーム材３ａの両端と両コーナー支柱３ｂの上端との連結板３ｅに締着するようにしている。４ｅは上辺フレーム材４ａと下辺フレーム材４ｄの内側との間に斜めに設けた薄板の補強用トラスである。
そして、連結部材１２に凹部１２ａを形成して、そこをボルト１３で締着するようにして、ボルト１３の頭部がリターナブルケースの外面から突出しないようにしている。
【００１４】
また、図１中の５は前記長辺フレーム４，４の上部に着脱可能に横架される補強アームであり、図１５の（ａ）に詳細に示すように、この補強アーム５はその両端に垂直に上辺フレーム材４ａに嵌合する逆凹状の係合片５ａが設けられ、この係合片５ａの外側の左右に孔５ｂ，５ｂが穿設されている。このように、左右に孔５ｂ，５ｂが穿設されているのは、補強アーム５がどちら向きでも上辺フレーム材４ａとこれに垂直に設けた補強支柱４ｃとの隅に設けた補強板４ｈに突設した突起１５と前記いずれかの孔５ｂが合致して嵌合し得るためである。更に、係合片５ａの上端には凹溝５ｃが刻設され、この凹溝５ｃには前記枠体２の脚材２ｃが嵌合可能で、組立てられたリターナブルケースをがたつくことなく安定して積載することができる。
また、図１５（ｂ）は補強アーム５の端に設けた係合片５ａを長辺フレーム４の上辺フレーム材４ａに嵌合した状態の斜視図である。
【００１５】
また、上述したように突起と係合孔とにより嵌合する方法の他に、図１６（ａ）に示すように、上辺フレーム材４ａと補強支柱４ｃとの隅に設けた補強板４ｈに突設した突起１５に代えてネジ孔１６を設け、前記係合片５ａを長辺フレーム４の上辺フレーム材４ａに嵌合して、前記いずれかの孔５ｂに挿入したボルト１３を前記ネジ孔１６に締着して固定することもできる。
【００１６】
また、組立られたリターナブルケースの上部に、リターナブルケースの1/2 の長さのハーフケース（図示せず）を２個横に並べて積み上げる場合には、図１７に示すように、リターナブルケースの上部中央に位置する補強アーム５の係合片５ａの上端左右に設けられた突部１８，１８を、それぞれハーフケースのスキッド下面の一側の凹部と嵌合させることにより、ハーフケースのスキッド下面の他側は前記連結部材１２，１２で規制されるので、２個のハーフケースを安定して積み上げることができる。
【００１７】
このリターナブルケースを分解して保管や輸送する際に積み重ねるときには、先ず、前記２枚の長辺フレーム４，４の上辺フレーム材４ａ，４ａ間に連結した補強アーム５を取り外し、次に、２枚の長辺フレーム４の上角部に設けた連結部材１２と、２枚の短辺フレーム３の上隅に設けた連結板３ｅとを連結したボルト１３を取り外し、短辺フレーム３の両コーナー支柱３ｂの下端に設けた差込片３ｂ-1を前記コーナー部材７に設けた差込孔７ａ（図１３参照）から抜き取り、補強支柱３ｃの下端に設けた差込片３ｃ-1を差込連結部材９の差込孔９ａ（図１１参照）から抜き取って、２枚の短辺フレーム３を枠体２から取り外す。また、長辺フレーム４の下辺フレーム材４ｄの両端と両コーナー支柱４ｂの下端とを連結した連結補強板４ｉと、枠体２の四隅に設けたコーナー部材７とを締着していたボルト１３を取り外して、２枚の長辺フレーム４を枠体２から取り外す。
【００１８】
次に、図５および図６に示すように、前記スキッド１を形成する長方形の枠体２の上に、一方の短辺フレーム３の上辺フレーム材３ａを、枠体２の一方の短辺２ａとなる脚材２ｃの上面の端縁から滑材２ｄの端までの間隔Ｓ1 の間に載置すると共に、コーナー支柱３ｂ，３ｂおよび補強支柱３ｃを滑材２ｄの間に入れて載置する。そして、同様に、他方の短辺フレーム３も枠体２の上に載置する。このようにして、スキッド１の上に、２枚の短辺フレーム３が重ならないように、しかも、滑材２ｄの上面と略同一高さとなるように、載置することができる。
【００１９】
次に、図７および図８に示すように、２枚の短辺フレーム３の上に一方の長辺フレーム４を載置し、さらに、図９および図１０に示すように、この一方の長辺フレーム４の上に他方の長辺フレーム４を重ねて載置し、最後に、図２に示すように、枠体２の両リブ片２ｇ，２ｇ間に補強アーム５の両端の係合片５ａ，５ａを嵌合する。
【００２０】
このように、分解した２枚の短辺フレーム３と２枚の長辺フレーム４をスキッド１を形成する枠体２の上に順次積み重ねると、２枚の短辺フレーム３は枠体２の滑材２ｄの中に埋設されたように載置されるので、スキッド１上には２枚の長辺フレーム４による２層の積み重ねとなり、２枚の短辺フレーム３と２枚の長辺フレーム４との積み重ね高さを低くでき、このようにして積み重ねた収納状態のリターナブルケースを所定の大きさのコンテナに２０段、段積み収納することができる。
なお、上述実施の形態では補強アーム５を３本用いたが、これに限らず、補強アーム５を２本用いても、リターナブルケースの強度上は何ら支障はない。
【００２１】
【発明の効果】
以上説明したように、この発明によれば、分解した２枚の短辺フレームの上辺フレーム材が底フレームとなるスキッドの枠体の両短辺の脚材上にそれぞれ載置され、コーナー支柱と補強支柱が滑材の間に嵌合されて載置されるので、２枚の短辺フレームは重なることなく、底フレームとなるスキッドの枠体の滑材の間にその上面から突出しないように嵌合されて載置され、これらの短辺フレームの上に２枚の長辺フレームが重なって載置されたとしても、従来例のようなリターナブルケースに比べて、その積み重ね高さは低くなり、それだけ所定の大きさのコンテナへの段積み収納量が多くなり、保管および輸送においてきわめて有利となる。
【００２２】
また、この発明の請求項２及び３に記載のリターナブルケースによれば、枠体の両短辺の中間部に短辺フレームの補強支柱の下端部が差込連結される差込連結部材を設け、枠体の四隅のコーナー部材に短辺フレームのコーナー支柱の下端部が差込連結される溝を設け、枠体の両長辺の中間部に長辺フレームの下辺フレーム材の中間部を挟持する挟持部材を設けたので、組立時のがたつきを防止し、短辺フレーム及び長辺フレームが比較的薄くても強度を増すことができる。
また、この発明の請求項４に記載のリターナブルケースによれば、コーナー部材に溶接しろと溶接用孔を穿設したので、溶接用孔により溶接作業が容易となり、溶接しろによりコーナー部材をリブ片に強固に溶接することができる。
また、この発明の請求項５に記載のリターナブルケースによれば、補強アームの両端の係合片の上部に凹溝を刻設し、この凹溝に枠体の下面の脚材が嵌合可能としたので、組立てられたリターナブルケースをがたつくことなく安定して積載することができる。
また、この発明の請求項６に記載のリターナブルケースによれば、補強アームの両端の係合片に穿設された係合孔と、長辺フレームの上辺フレーム材に突設された係合突起とにより、補強アームを容易に着脱させることができる。
また、この発明の請求項７に記載のリターナブルケースによれば、長辺フレームの上角部の連結部材に凹部を設け、この凹部にボルト挿入孔が穿設されているので、ボルト締めしても、ボルト頭が連結部材より突出することはなく、安全にリターナブルケースを積み重ねることができる。
また、この発明の請求項８に記載のリターナブルケースによれば、短辺フレーム用補強用トラス及び長辺フレーム用補強用トラスを、パイプを偏平に潰して形成された薄板としたので、剛性が増すと共に、角が生じないので、取り扱う時に怪我するのを防止することができる。
【図面の簡単な説明】
【図１】この発明のリターナブルケースの組立途中（または分解途中）の斜面図である。
【図２】この発明のリターナブルケースを分解してスキッドの上に２枚の短辺フレームと２枚の長辺フレームとを積み重ねた状態を示す斜視図である。
【図３】この発明のリターナブルケースの底フレームとなるスキッドの平面図である。
【図４】図３のＡ−Ａ線方向から見た拡大断面図である。
【図５】この発明のリターナブルケースの構成部材であるスキッドの上に２枚の短辺フレームを積み重ねた平面図である。
【図６】図５のＢ−Ｂ線方向から見た拡大断面図である。
【図７】この発明のリターナブルケースの短辺フレームの上に一方の長辺フレームを積み重ねた平面図である。
【図８】図７のＣ−Ｃ線方向から見た拡大断面図である。
【図９】この発明のリターナブルケースの一方の長辺フレームの上に他方の長辺フレームを積み重ねた平面図である。
【図１０】図９のＤ−Ｄ線方向から見た拡大断面図である。
【図１１】この発明のリターナブルケースの差込連結部材を詳細に示した斜視図である。
【図１２】この発明のリターナブルケースの挟持部材を詳細に示した斜視図である。
【図１３】この発明のリターナブルケースのコーナー部材を詳細に示した斜視図である。
【図１４】この発明のリターナブルケースの連結部材を詳細に示した斜視図である。
【図１５】この発明のリターナブルケースの補強アームを詳細に示した斜視図である。
【図１６】この発明のリターナブルケースの他の実施の形態の補強アームを詳細に示した斜視図である。
【図１７】この発明のリターナブルケースの他の実施の形態の補強アームを詳細に示した斜視図である。
【図１８】この発明のリターナブルケースの補強用トラスの説明図である。
【符号の説明】
１      長方形のスキッド
２      長方形の枠体
２ａ    短辺
２ｂ    長辺
２ｃ    脚材
２ｄ    滑材
２ｇ    リブ片
３      短辺フレーム
３ａ    上辺フレーム材
３ｂ    コーナー支柱
３ｂ-1  差込片
３ｃ    補強支柱
３ｃ-1  差込片
３ｄ    補強用トラス
４      長辺フレーム
４ａ    上辺フレーム材
４ｂ    コーナー支柱
４ｃ    補強支柱
４ｄ    下辺フレーム材
４ｅ    補強用トラス
５      補強アーム
５ａ    係合片
５ｂ    孔
５ｃ    凹溝
７      コーナー部材
７ａ    差込孔
７ｂ    溶接しろ
７ｃ    ボルト挿入孔
７ｄ    溶接用孔
９      差込連結部材
９ａ    差込孔
１０      挟持部材
１２      連結部材
１２ａ    凹部
１３      ボルト
１５      突起
１６      ネジ孔
Ｓ1 ，Ｓ2   間隔
【図１】
0003764553.tif 000002
【図２】
0003764553.tif 000003
【図３】
0003764553.tif 000004
【図４】
0003764553.tif 000005
【図５】
0003764553.tif 000006
【図６】
0003764553.tif 000007
【図７】
0003764553.tif 000008
【図８】
0003764553.tif 000009
【図９】
0003764553.tif 000010
【図１０】
0003764553.tif 000011
【図１１】
0003764553.tif 000012
【図１２】
0003764553.tif 000013
【図１３】
0003764553.tif 000014
【図１４】
0003764553.tif 000015
【図１５】
0003764553.tif 000016
【図１６】
0003764553.tif 000017
【図１７】
0003764553.tif 000018
【図１８】
0003764553.tif 000019